(57)【要約】【課題】低コスト化が可能な液晶表示装置を提供することを目的とする。【解決手段】  アレイ基板１０と対向基板２０との間に液晶層３０を保持し画像を表示する表示エリアＤＡを有する液晶表示パネル１と、アレイ基板１０において表示エリアＤＡに対応して配置された信号線Ｙ１〜Ｙ（ｎ−１）、及び、表示エリアＤＡに隣接して配置されたダミー配線Ｙｎと、信号線Ｙ１〜Ｙ（ｎ−１）に信号を出力する駆動用ＩＣチップＳＤ１〜ＳＤ４と、所定電圧を出力する電源部１１０を備えた駆動回路基板１００と、アレイ基板１０と駆動回路基板１００とを電気的に接続するフレキシブル基板ＦＳ１〜ＦＳ４と、を備え、フレキシブル基板ＦＳ４は、電源部１１０とダミー配線Ｙｎとを接続するパスラインＰＬｎを備えたことを特徴とする。【選択図】      図４
2008096463.tif 000002
【特許請求の範囲】
【請求項１】
第１基板と第２基板との間に液晶層を保持し、画像を表示する表示エリアを有する液晶表示パネルと、
前記第１基板において前記表示エリアに対応して配置された信号配線、及び、前記表示エリアに隣接して配置された少なくとも１本のダミー配線と、
前記信号配線に信号を出力する駆動用ＩＣチップと、
所定電圧を出力する電源部を備えた駆動回路基板と、
前記第１基板と前記駆動回路基板とを電気的に接続するフレキシブル基板と、を備え、
前記フレキシブル基板は、前記電源部と前記ダミー配線とを接続するパスラインを備えたことを特徴とする液晶表示装置。
【請求項２】
前記電源部は、
第１電源端子と、
前記第１電源端子より高い電位に設定された第２電源端子と、
極性信号に基づき前記第１電源端子または前記第２電源端子のいずれかと前記ダミー配線とを接続するスイッチと、
を備えたことを特徴とする請求項１に記載の液晶表示装置。
【請求項３】
前記液晶表示パネルは、ＯＣＢモードにより駆動可能に構成され、
前記電源部は、前記ダミー配線に対して、前記液晶層に含まれる液晶分子の配向状態をベンド配向に維持する逆転移防止電圧を出力することを特徴とする請求項１に記載の液晶表示装置。
【請求項４】
前記ダミー配線は、前記表示エリアに隣接する両側にそれぞれ配置されたことを特徴とする請求項１に記載の液晶表示装置。
【請求項５】
前記電源部は、前記ダミー配線のそれぞれに対して極性の異なる電圧を出力することを特徴とする請求項４に記載の液晶表示装置。
【請求項６】
前記液晶表示パネルは、
前記表示エリアにおいて前記信号配線に接続されたスイッチング素子と、
前記スイッチング素子に接続された画素電極と、
前記ダミー配線に接続されたダミースイッチング素子と、
前記ダミースイッチング素子に接続されたダミー画素電極と、
を備えたことを特徴とする請求項１に記載の液晶表示装置。
【請求項７】
第１基板と第２基板との間に液晶層を保持した構成の液晶表示パネルと、
前記第１基板に配置されたＡ本（ただし、Ａは正の整数である）の信号配線と、
（Ａ−Ｂ）個（ただし、ＢはＡより小さい正の整数である）の出力端子を有し、各出力端子から（Ａ−Ｂ）本の前記信号配線に信号を出力する駆動用ＩＣチップと、
所定電圧を出力する電源部を備えた駆動回路基板と、
前記第１基板と前記駆動回路基板とを電気的に接続するフレキシブル基板と、を備え、
前記フレキシブル基板は、前記駆動用ＩＣチップに接続されていないＢ本の前記信号配線と前記電源部とを接続するパスラインを備えたことを特徴とする液晶表示装置。
【発明の詳細な説明】
【技術分野】
【０００１】
この発明は、液晶表示装置に係り、特に、駆動用ＩＣ（integrated circuit）チップを実装した液晶表示装置に関する。
【背景技術】
【０００２】
液晶表示装置などの平面表示装置は、コンピュータ、カーナビゲーションシステム、あるいはテレビ受信機等のモニタディスプレイとして広く利用されている。このような表示装置は、画像を表示する表示エリアを備えた表示パネル、及び、この表示パネルを制御する制御回路を備えている。
【０００３】
アクティブマトリクス型の液晶表示パネルは、アレイ基板と対向基板との間に液晶層を保持した構造である。アレイ基板は、例えば略マトリクス状に配置された複数の画素電極、複数の画素電極の行に沿って配置された複数の走査線、複数の画素電極の列に沿って配置された複数の信号線、走査線と信号線との交差位置近傍に配置された複数のスイッチング素子を備えている。対向基板は、アレイ基板に配置された複数の画素電極に対向して配置された対向電極を備えている。画素電極及び対向電極は、これらの間に保持される駆動電圧に対応した電界によって液晶層に含まれる液晶分子の配列を制御している。
【０００４】
液晶表示装置に搭載される制御回路は、走査線に駆動信号を出力する走査線駆動部、信号線に駆動信号を出力する信号線駆動部などで構成されている。これらの走査線駆動部及び信号線駆動部は、それらの少なくとも一部の機能を担う駆動用ＩＣチップによって構成されている。
【０００５】
近年、表示装置の高解像度化に伴う高周波化という課題がある。これに対して、特許文献１によれば、ソースドライバ基板を複数に分割し、複数同時駆動によりソースドライバＩＣが単独で未対応である高解像度及び高周波に対応する液晶表示装置が提案されている。
【特許文献１】特開２０００−３３０５００号公報
【発明の開示】
【発明が解決しようとする課題】
【０００６】
液晶表示パネルに配置された各信号線は、信号線駆動部を構成する駆動用ＩＣチップの出力端子に接続されている。しかしながら、信号線の本数が、駆動用ＩＣチップの出力端子数より多い場合がある。このとき、たとえ１個の出力端子が不足する場合であっても、駆動用ＩＣチップを１個追加する必要がある。つまり、１本の信号線のために、高価な駆動用ＩＣチップを追加配置する必要がある。
【０００７】
この発明は、上述した問題点に鑑みなされたものであって、その目的は、低コスト化が可能な液晶表示装置を提供することにある。
【課題を解決するための手段】
【０００８】
この発明の態様による液晶表示装置は、
第１基板と第２基板との間に液晶層を保持し、画像を表示する表示エリアを有する液晶表示パネルと、
前記第１基板において前記表示エリアに対応して配置された信号配線、及び、前記表示エリアに隣接して配置された少なくとも１本のダミー配線と、
前記信号配線に信号を出力する駆動用ＩＣチップと、
所定電圧を出力する電源部を備えた駆動回路基板と、
前記第１基板と前記駆動回路基板とを電気的に接続するフレキシブル基板と、を備え、
前記フレキシブル基板は、前記電源部と前記ダミー配線とを接続するパスラインを備えたことを特徴とする。
【発明の効果】
【０００９】
この発明によれば、低コスト化が可能な液晶表示装置を提供することができる。
【発明を実施するための最良の形態】
【００１０】
以下、この発明の一実施の形態に係る表示装置、例えばアクティブマトリクス方式の液晶表示装置について図面を参照して説明する。
【００１１】
図１及び図２に示すように、液晶表示装置は、液晶表示パネル１を備えている。この液晶表示パネルは、一対の基板すなわちアレイ基板１０及び対向基板２０間に液晶層３０を保持した構造であり、複数の画素ＰＸを備えている。
【００１２】
アレイ基板１０は、例えばガラス基板等の光透過性を有する絶縁基板１１を用いて形成されている。このアレイ基板１０は、絶縁基板１１上において、各画素に駆動信号を供給する信号配線を備えている。すなわち、アレイ基板１０は、信号配線として、画素ＰＸの行に沿って配置されたＭ本の走査線Ｙ（Ｙ１〜Ｙｍ）、及び、画素ＰＸの列に沿って配置されたＮ本の信号線Ｘ（Ｘ１〜Ｘｎ）を備えている。さらに、アレイ基板１０は、各画素ＰＸにおいて走査線Ｙ及び信号線Ｘの交差部に配置されたスイッチング素子１２、各スイッチング素子１２に接続された画素電極１３などを備えている。
【００１３】
各スイッチング素子１２は、例えば薄膜トランジスタによって構成されている。スイッチング素子１２のゲートは、対応する走査線Ｙに接続されている（あるいは走査線Ｙと一体的に形成されている）。スイッチング素子１２のソースは、対応する信号線Ｘに接続されている（あるいは信号線Ｘと一体的に形成されている）。スイッチング素子１２のドレインは、画素電極１３に電気的に接続されている。
【００１４】
各画素電極１３は、バックライト光を選択的に透過して画像を表示する透過型の液晶表示装置においては、インジウム・ティン・オキサイド（ＩＴＯ）やインジウム・ジンク・オキサイド（ＩＺＯ）などの光透過性を有する導電材料によって形成される。また、各画素電極１３は、対向基板２０側から入射する外光を選択的に反射して画像を表示する反射型の液晶表示装置においては、アルミニウム（Ａｌ）などの光反射性を有する導電材料によって形成される。このような画素電極１３の表面は、液晶層３０に含まれる液晶分子の配向を制御するための配向膜１４によって覆われている。
【００１５】
対向基板２０は、例えばガラス基板等の光透過性を有する絶縁基板２１を用いて形成されている。この対向基板２０は、絶縁基板２１上において、複数の画素電極１３に対向して配置された対向電極２２などを備えている。対向電極２２は、光透過性を有する導電材料によって形成されている。このような対向電極２２の表面は、液晶層３０に含まれる液晶分子の配向を制御するための配向膜２３によって覆われている。
【００１６】
これらのアレイ基板１０及び対向基板２０は、画素電極１３と対向電極２２とを対向させた状態で配設され、これらの間にギャップを形成する。液晶層３０は、アレイ基板１０と対向基板２０とのギャップに封止された液晶組成物によって形成されている。この実施の形態においては、液晶モードについて特に制限はなく、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＶＡ（Ｖｅｒｔｉｃａｌ  Ａｌｉｇｎｅｄ）モード、ＩＰＳ（Ｉｎ−Ｐｌａｎｅ  Ｓｗｉｔｃｈｉｎｇ）モードなどが適用可能である。
【００１７】
カラー表示タイプの液晶表示装置では、表示パネル１は、複数種類の画素、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらのカラーフィルタは、アレイ基板１０または対向基板２０の主面に配置される。
【００１８】
液晶表示装置は、さらに、液晶表示パネル１を駆動・制御するのに必要な各種信号を出力する駆動回路基板（ＰＣＢ）１００と、駆動回路基板１００から出力された信号に基づいて各信号線Ｘに駆動信号（映像信号）を供給する信号線駆動部３及び各走査線Ｙに駆動信号（走査信号）を供給する走査線駆動部４、液晶表示パネル１を構成するアレイ基板１０と駆動回路基板１００とを電気的に接続するフレキシブル基板Ｆと、を備えている。
【００１９】
より具体的に説明すると、この実施の形態では、信号線駆動部３は、４つの駆動用ＩＣチップＳＤ１、ＳＤ２、ＳＤ３、ＳＤ４を有している。これらの駆動用ＩＣチップＳＤ１、ＳＤ２、ＳＤ３、ＳＤ４は、それぞれフレキシブル基板ＦＳ１、ＦＳ２、ＦＳ３、ＦＳ４に実装され、各出力端子から対応する信号線Ｘに対して駆動信号を出力する。また、走査線駆動部４は、２つの駆動用ＩＣチップＧＤ１、ＧＤ２を有している。これらの駆動用ＩＣチップＧＤ１、ＧＤ２は、それぞれフレキシブル基板ＦＧ１、ＦＧ２に実装され、各出力端子から対応する走査線Ｙに対して駆動信号を出力する。
【００２０】
ところで、図１に示すように、液晶表示パネル１がＮ本の信号線を備えているのに対して、信号線駆動部３を構成するすべての駆動用ＩＣチップの出力端子の総和が（Ｎ−１）個である場合を考える。すなわち、１列目から（Ｎ−１）列目までの（Ｎ−１）本の信号線Ｘ１〜Ｘ（ｎ−１）は、それぞれ駆動用ＩＣチップＳＤ１、ＳＤ２、ＳＤ３、ＳＤ４のいずれかの出力端子と接続されており、Ｎ列目の信号線Ｘｎに対する出力端子が不足しているものとする。
【００２１】
この実施の形態においては、駆動回路基板１００は、所定電圧を出力する電源部１１０を備えている。この電源部１１０は、基準電圧（すなわち対向電極２２の電位）に対して黒などの一定輝度を得るのに必要な一定の画素電圧（すなわち画素電極１３に書き込まれる電位）を出力するように構成されている。
【００２２】
一方、フレキシブル基板のうち、（Ｎ−１）列目の信号線Ｘ（ｎ−１）に接続された駆動用ＩＣチップＳＤ４が実装されたフレキシブル基板ＦＳ４は、アレイ基板１０上において駆動用ＩＣチップのいずれにも接続されていないＮ列目の信号線Ｘｎと、駆動回路基板１００上の電源部１１０とを接続するパスラインＰＬｎを備えている。つまり、フレキシブル基板上の空きスペースにパスラインとして機能する配線を形成する、あるいは、予めフレキシブル基板上に形成されていた配線をパスラインとして利用することにより、特に大幅な仕様変更や部材の追加を伴うことがない。
【００２３】
このような構成により、駆動用ＩＣチップを使用することなく、端数の信号線に対して黒などの一定輝度を得るのに必要な画素電圧を書き込むことが可能となり、低コスト化が可能となる。また、駆動用ＩＣチップを追加配置するためのスペースを確保する必要がなくなり、液晶表示装置の小型化が可能となる。
【００２４】
駆動回路基板１００に備えられる電源部１１０は、例えば、第１電源端子１１１と、第１電源端子１１１より高い電位に設定された第２電源端子１１２と、極性信号（ＰＯＬ）に基づき第１電源端子１１１または第２電源端子１１２のいずれかとＮ列目の信号線Ｘｎとを接続するスイッチ１１３と、によって構成されている。すなわち、スイッチ１１３は、負極性の極性信号に基づいて第１電源端子１１１と信号線Ｘｎとを接続する。これにより、信号線Ｘｎと導通した画素電極１３には、基準電圧に対して負の画素電圧が書き込まれる。また、スイッチ１１３は、正極性の極性信号に基づいて第２電源端子１１２と信号線Ｘｎとを接続する。これにより、信号線Ｘｎと導通した画素電極１３には、基準電圧に対して正の画素電圧が書き込まれる。
【００２５】
このような構成により、基準電圧に対して正極または負極の画素電圧を出力することが可能となり、液晶層３０に対して直流（ＤＣ）電圧がかかることを防止できるとともに、極性反転駆動においても一定輝度を得ることが可能となる。
【００２６】
なお、上述した実施の形態においては、１本の信号線に対する出力端子が不足する場合について説明したが、２本以上の信号線に対する出力端子が不足する場合についても同様の構成が適用可能である。すなわち、Ａ本（ただし、Ａは正の整数である）の信号線に対して、（Ａ−Ｂ）個（ただし、ＢはＡより小さい正の整数である）の出力端子を有する駆動用ＩＣチップを適用する場合、駆動用ＩＣチップの各出力端子と（Ａ−Ｂ）本の信号線を接続するとともに、駆動用ＩＣチップに接続されていないＢ本の信号線については、液晶表示パネルと駆動回路基板とを電気的に接続するフレキシブル基板に備えられたパスラインを介して、駆動回路基板の電源部と接続する。これにより、同様の効果が得られる。
【００２７】
また、２本以上の信号線に対する出力端子が不足する場合、両サイドのフレキシブル基板（図１に示した例ではＦＳ１及びＦＳ４）にそれぞれ電源部と接続するパスラインを設けても良い。この場合、各信号線に対して個別に電源部を設けても良いし、単一の電源部により複数の信号線に対して画素電圧を出力するような構成であってもよい。
【００２８】
上述した実施の形態においては、液晶モードについて特に制限はなかったが、ここでは、特にＯＣＢモードの液晶表示パネルを適用した場合の実施形態について説明する。
【００２９】
ＯＣＢモードは、応答性に優れ、且つ、視野角が広いといった特徴を有している。このＯＣＢモードの液晶表示パネル１においては、液晶層３０を保持する一対の配向膜１４及び２３は、互いに平行な方向にラビング処理されている。このような配向膜の作用により、電源投入以前の段階では、図３Ａに示すように、液晶層３０に含まれる液晶分子３１は、スプレイ配向している。このスプレイ配向は、液晶分子３１がほとんど寝ている状態に相当する。
【００３０】
そして、電源投入後、表示動作以前の段階において、初期化処理が行われる。この初期化処理は、液晶層３０に対して転移電圧を印加して、この転移電圧に対応した比較的強い電界により液晶分子３１の配向状態をスプレイ配向からベンド配向に転移させるものである。液晶分子３１の配向状態は、表示動作中、ベンド配向に維持されている。
【００３１】
表示動作において、液晶層３０に白画像（最高輝度に対応した階調レベルの画像）を表示するための白表示電圧が印加された際には、液晶分子３１は、図３Ｂに示すようなベンド配向の配向状態を形成する。また、液晶層３０に黒画像（最低輝度に対応した階調レベルの画像）を表示するための黒表示電圧が印加された際には、液晶分子３１は、図３Ｃに示すようなベンド配向の配向状態を形成する。
【００３２】
このようなＯＣＢモードの液晶表示パネル１においては、液晶分子３１の配向状態は、スプレイ配向のエネルギーとベンド配向のエネルギーとが拮抗するレベル以下の電圧印加状態や電圧無印加状態が長期間続く場合に、再びベンド配向からスプレイ配向に逆転移してしまう。このため、ＯＣＢモードの液晶表示パネル１では、この逆転移を防止するために、黒挿入駆動の方式がとられている。黒挿入駆動では、例えば逆転移防止電圧及び映像信号に対応した電圧がフレーム周期で交互に駆動電圧として液晶層３０に印加され、ベンド配向を維持する。ノーマリホワイトモードにおいては、逆転移防止電圧が黒表示電圧に相当するため、黒挿入駆動と呼ばれる。
【００３３】
一方で、液晶表示パネル１の製造過程において、不純物イオンが液晶層３０に混入することは避けられない。具体的には、アレイ基板１０と対向基板２０とを貼り合わせるシール材が多くの不純物イオンを含有しており、液晶層３０との接触により、シール材から液晶層３０に不純物イオンが浸入する。この不純物イオンは、液晶の絶縁抵抗を低下させて電圧保持率の低下による表示特性の劣化をもたらすことになる。また、この不純物イオンは、表示動作において液晶層３０への電圧印加に伴い、液晶層３０内を移動する。
【００３４】
特に、ＯＣＢモードの液晶表示パネル１では、液晶分子３１が表示動作のために液晶層３０内でベンド配向している。液晶層３０に低い電圧が印加された白表示状態と、液晶層３０に高い電圧が印加された黒表示状態との間では、液晶分子のオリエンテーション角が大きく変化する。オリエンテーション角の変化は、液晶分子３１の変位（drift）を伴うので、液晶層３０内でこの変位の方向に液晶分子３１の流れ(flow)が発生する。この流れの方向は、ＯＣＢモードの液晶表示パネル１では液晶分子３１を配向させる配向膜のラビング方向と一致している。
【００３５】
例えば、ラビング方向が行方向（走査線と平行な方向）と平行に設定された場合、この方向に不純物イオンが移動し、さらに黒挿入駆動を継続した結果として、端部の信号線に向かって不純物イオンが凝集し、部分的な電荷保持力の低下による表示むら（黒表示電圧が印加されているにもかかわらず、グレー画像が表示される）が発生する。
【００３６】
このため、ＯＣＢモードの液晶表示パネル１においては、表示動作において黒挿入駆動を行ったときに、液晶層３０に侵入した不純物イオンに起因して発生する表示むらを抑制することによって、表示性能の改善を図ることができる。
【００３７】
そこで、この実施の形態に係るＯＣＢモードを適用した液晶表示パネルの第１構成例においては、図４に示すように、液晶表示パネル１は、Ｍ行及び（Ｎ−１）列のマトリクス状に配置されたＭ×（Ｎ−１）個の画素ＰＸによって構成された表示エリアＤＡを備えている。この液晶表示パネル１において、配向膜のラビング方向は、たとえば行方向に平行に設定されている。
【００３８】
すなわち、液晶表示パネル１は、表示エリアＤＡに配置されたＭ本の走査線Ｙ１乃至Ｙｍを備えている。これらの走査線Ｙ１乃至Ｙｍは、駆動用ＩＣチップＧＤ１及びＧＤ２のいずれかの出力端子に接続されている。各走査線には、いずれかの駆動用ＩＣチップから出力された駆動信号が供給される。
【００３９】
また、液晶表示パネル１は、信号線については、表示エリアＤＡに配置された（Ｎ−１）本の信号線Ｘ１乃至Ｘ（ｎ−１）の他に、表示エリアＤＡに隣接して配置された少なくとも１本のダミー信号線を備えている。図４に示した例では、液晶表示パネル１は、表示エリアＤＡに対してラビング方向の下流側に１本のダミー信号線Ｘｎを備えている。このダミー信号線Ｘｎは、表示エリアＤＡに配置された他の信号線と同様に、走査線Ｙ１乃至Ｙｍのそれぞれと交差している。ダミー信号線Ｘｎと各走査線との交差部には、スイッチング素子１２と同一構成のダミースイッチング素子１２Ｄが接続され、また、各ダミースイッチング素子Ｄ１２には、画素電極１３と同一構成のダミー画素電極１３Ｄが接続されている。つまり、ダミー信号線Ｘｎに接続されたＮ列目の画素ＰＸは、表示エリアＤＡを構成する各画素ＰＸと同一構成である。
【００４０】
このような構成の液晶表示パネル１に対して、信号線駆動部３として４個の駆動用ＩＣチップＳＤ１乃至ＳＤ４が接続されている。これらの駆動用ＩＣチップＳＤ１乃至ＳＤ４が有する出力端子の総和が（Ｎ−１）個である場合、表示エリアＤＡに配置された１列目から（Ｎ−１）列目までの（Ｎ−１）本の信号線Ｘ１〜Ｘ（ｎ−１）は、それぞれ駆動用ＩＣチップＳＤ１、ＳＤ２、ＳＤ３、ＳＤ４のいずれかの出力端子と接続される。ダミー信号線Ｘｎは、フレキシブル基板ＦＳ４に設けられたパスラインＰＬｎを介して、駆動回路基板１００の電源部１１０に接続される。
【００４１】
このような構成により、駆動用ＩＣチップを使用することなく、ダミー信号線に対して所定の画素電圧を書き込むことが可能となり、低コスト化が可能となる。また、駆動用ＩＣチップを追加配置するためのスペースを確保する必要がなくなり、液晶表示装置の小型化が可能となる。
【００４２】
電源部１１０は、基準電圧に対して黒画像を表示するのに必要な一定の画素電圧（黒表示電圧）を出力するように構成されている。このため、ダミー信号線Ｘｎに接続された画素ＰＸには、常に黒表示電圧が書き込まれた状態となる。このように、表示エリア外のラビング方向下流側にダミー信号線Ｘｎを配置したことにより、液晶層３０に含まれる不純物イオンを表示エリアＤＡの外側に配置されたダミー信号線側に引き寄せることができ、液晶表示パネル１を長期間駆動しても、表示エリアＤＡに侵入する不純物イオンに起因して発生する表示むらを抑制することが可能となる。
【００４３】
駆動回路基板１００に備えられる電源部１１０は、例えば、第１電源端子１１１と、第１電源端子１１１より高い電位に設定された第２電源端子１１２と、極性信号に基づき第１電源端子１１１または第２電源端子１１２のいずれかとＮ列目のダミー信号線Ｘｎとを接続するスイッチ１１３と、によって構成されている。
【００４４】
このような構成により、ダミー信号線Ｘｎに接続された画素ＰＸに対しても、基準電圧に対して正極または負極の画素電圧を出力することが可能となり、液晶層３０に対して直流（ＤＣ）電圧がかかることを防止できるとともに、極性反転駆動においても一定輝度を得ることが可能となる。
【００４５】
また、電源部１１０において、第１電源端子１１１及び第２電源端子１１２は、逆転移防止電圧に相当する電位に設定されても良い。
【００４６】
なお、上述した第１構成例においては、１本のダミー信号線に対する出力端子が不足する場合について説明したが、２本以上のダミー信号線に対する出力端子が不足する場合についても同様の構成が適用可能である。以下に、２本のダミー信号線に対する出力端子が不足する場合について説明する。
【００４７】
すなわち、ＯＣＢモードを適用した液晶表示パネルの第２構成例においては、図５に示すように、液晶表示パネル１は、Ｍ行及び（Ｎ−２）列のマトリクス状に配置されたＭ×（Ｎ−２）個の画素ＰＸによって構成された表示エリアＤＡを備えている。この液晶表示パネル１において、配向膜のラビング方向は、たとえば行方向に平行に設定されている。
【００４８】
ここでは、液晶表示パネル１は、表示エリアＤＡに配置された（Ｎ−２）本の信号線Ｘ２乃至Ｘ（ｎ−１）の他に、表示エリアＤＡに隣接する両側にそれぞれ配置されたダミー信号線Ｘ１及びＸｎを備えている。図５に示した例では、ダミー信号線Ｘ１は表示エリアＤＡに対してラビング方向の上流側に配置され、ダミー信号線Ｘｎは表示エリアＤＡに対してラビング方向の下流側に配置されている。これらのダミー信号線Ｘ１及びＸｎは、表示エリアＤＡに配置された他の信号線と同様に、走査線Ｙ１乃至Ｙｍのそれぞれと交差している。ダミー信号線Ｘ１及びＸｎにそれぞれ接続された１列目及びＮ列目の画素ＰＸは、表示エリアＤＡを構成する各画素ＰＸと同一構成である。
【００４９】
このような構成の液晶表示パネル１に対して、信号線駆動部３としての駆動用ＩＣチップＳＤ１乃至ＳＤ４が有する出力端子の総和が（Ｎ−２）個である場合、表示エリアＤＡに配置された２列目から（Ｎ−１）列目までの（Ｎ−２）本の信号線Ｘ２〜Ｘ（ｎ−１）は、それぞれ駆動用ＩＣチップＳＤ１、ＳＤ２、ＳＤ３、ＳＤ４のいずれかの出力端子と接続される。ダミー信号線Ｘ１は、フレキシブル基板ＦＳ１に設けられたパスラインＰＬ１を介して、駆動回路基板１００の電源部１１０に接続される。ダミー信号線Ｘｎは、フレキシブル基板ＦＳ４に設けられたパスラインＰＬｎを介して、駆動回路基板１００の電源部１１０に接続される。つまり、ダミー信号線Ｘ１及びＸｎには、共通の電源部１１０から同一の所定電圧が供給される。
【００５０】
このような構成であっても、駆動用ＩＣチップを使用することなく、ダミー信号線に対して所定の画素電圧を書き込むことが可能となり、低コスト化が可能となる。また、駆動用ＩＣチップを追加配置するためのスペースを確保する必要がなくなり、液晶表示装置の小型化が可能となる。
【００５１】
また、電源部１１０により、ダミー配線Ｘ１及びＸｎに対して、基準電圧に対して黒画像を表示するのに必要な一定の画素電圧（黒表示電圧）を書き込むことにより、表示エリア外のラビング方向上流側及び下流側にそれぞれ配置されたダミー信号線Ｘ１及びＸｎ側に、液晶層３０に含まれる不純物イオンを引き寄せることができ、不純物イオンに起因して発生する表示むらを抑制することが可能となる。
【００５２】
また、ＯＣＢモードを適用した液晶表示パネルの第３構成例においては、図６に示すように、液晶表示パネル１は、第２構成例と同様に、Ｍ行及び（Ｎ−２）列のマトリクス状に配置されたＭ×（Ｎ−２）個の画素ＰＸによって構成された表示エリアＤＡを備えている。この液晶表示パネル１において、配向膜のラビング方向は、たとえば行方向に平行に設定されている。
【００５３】
ここでは、ダミー信号線Ｘ１は、フレキシブル基板ＦＳ１に設けられたパスラインＰＬ１を介して、駆動回路基板１００の第１電源部１１０Ａに接続されている。また、ダミー信号線Ｘｎは、フレキシブル基板ＦＳ４に設けられたパスラインＰＬｎを介して、駆動回路基板１００の第２電源部１１０Ｂに接続される。つまり、２つのダミー信号線Ｘ１及びＸｎに対しては、個別に設定された電圧を供給可能である。
【００５４】
このような構成であっても、第２構成例と同様の効果が得られるのに加えて、隣接する画素の極性が異なるドット反転駆動法による駆動に対応可能となる。すなわち、ドット反転駆動法を適用した場合、表示エリアＤＡを構成する信号線が偶数本である場合、表示エリアＤＡに隣接する両側にそれぞれ配置された２つのダミー信号線Ｘ１及びＸｎに対して、それぞれ極性の異なる電圧を供給する必要がある。
【００５５】
このため、所定のタイミングにおいて、第１電源部１１０Ａは、極性信号（ＰＯＬ）に基づきスイッチ１１３Ａを制御して第１電源端子１１１Ａと１列目のダミー信号線Ｘ１とを接続する一方で、第２電源部１１０Ｂは、極性信号（ＰＯＬ）に基づきスイッチ１１３Ｂを制御して第２電源端子１１２ＢとＮ列目のダミー信号線Ｘｎとを接続する。これにより、所定のタイミングにおいては、ダミー信号線Ｘ１と導通した画素電極には基準信号に対して負極性の画素電圧が書き込まれ、また、ダミー信号線Ｘｎと導通した画素電極には基準信号に対して正極性の画素電圧が書き込まれる。また、第１電源部１１０Ａにおいて第２電源端子１１２Ａと１列目のダミー信号線Ｘ１とが接続されるタイミングでは、第２電源部１１０Ｂにおいて第１電源端子１１１ＢとＮ列目のダミー信号線Ｘｎとが接続される。これにより、ドット反転駆動に対しても適用可能となる。
【００５６】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５７】
上述した実施の形態では、表示装置の一例として液晶表示装置について説明したが、駆動用ＩＣチップが実装された他の表示装置、例えば有機エレクトロルミネッセンス表示装置についてもこの発明を適用できることは言うまでもない。
【図面の簡単な説明】
【００５８】
【図１】図１は、この発明の一実施の形態に係る液晶表示装置の構成を概略的に示す図である。
【図２】図２は、図１に示した液晶表示装置を構成する液晶表示パネルの構造を概略的に示す断面図である。
【図３Ａ】図３Ａは、ＯＣＢモードの液晶表示パネルにおいて、電源投入前の初期状態を説明するための図である。
【図３Ｂ】図３Ｂは、ＯＣＢモードの液晶表示パネルにおいて、表示動作において白表示電圧が印加された液晶層の状態を説明するための図である。
【図３Ｃ】図３Ｃは、ＯＣＢモードの液晶表示パネルにおいて、表示動作において黒表示電圧が印加された液晶層の状態を説明するための図である。
【図４】図４は、この実施の形態に係るＯＣＢモードを適用した液晶表示パネルの第１構成例を説明するための図である。
【図５】図５は、この実施の形態に係るＯＣＢモードを適用した液晶表示パネルの第２構成例を説明するための図である。
【図６】図６は、この実施の形態に係るＯＣＢモードを適用した液晶表示パネルの第３構成例を説明するための図である。
【符号の説明】
【００５９】
１…表示パネル  ３…信号線駆動部  ４…走査線駆動部  １０…アレイ基板  １１…絶縁基板  １２…スイッチング素子  １３…画素電極  １４…配向膜  ２０…対向基板  ２１…絶縁基板  ２２…対向電極  ２３…配向膜  ３０…液晶層  ３１…液晶分子
ＤＡ…表示エリア  ＰＸ…画素  Ｙ（１〜ｍ）…走査線  Ｘ（１〜ｎ）…信号線  ＳＤ（１〜４）…駆動用ＩＣチップ  Ｆ（Ｓ１〜Ｓ４、Ｇ１〜Ｇ２）…フレキシブル基板  ＰＬ（１、ｎ）…パスライン
１００…駆動回路基板  １１０…電源部  １１１…第１電源端子  １１２…第２電源端子  １１３…スイッチ
【図１】
2008096463.tif 000003
【図２】
2008096463.tif 000004
【図３Ａ】
2008096463.tif 000005
【図３Ｂ】
2008096463.tif 000006
【図３Ｃ】
2008096463.tif 000007
【図４】
2008096463.tif 000008
【図５】
2008096463.tif 000009
【図６】
2008096463.tif 000010